(57)【特許請求の範囲】
【請求項１】
引戸を上部レールに沿って移動可能に支持すると共に、前記引戸を前記上部レールと平行な支点軸の廻りに揺動可能に支持し、閉めた位置で前記引戸をアクチュエータにより室外側に押して出入口を閉じる気密式引戸装置において、
前記引戸の下部に、下方に突出した舌部を設け、かつ、前記舌部の室内側側面に当接して、前記引戸の移動を案内する案内部材を設けると共に、前記引戸の重心位置を前記支点軸廻りに前記引戸が室内側に揺動する方向となる位置に形成して、前記引戸の自重により前記舌部の室内側側面が前記案内部材に当接し、また、前記アクチュエータにより前記引戸の自重に抗して前記引戸を室外側に押し前記引戸を前記支点軸の廻りに揺動させて前記出入口を閉じることを特徴とする気密式引戸装置。
【請求項２】
前記出入口の床面よりも下側に前記案内部材を設けると共に、該案内部材を覆う被覆板を設け、該被覆板を跳ね上げ可能に支持したことを特徴とする請求項１記載の気密式引戸装置。
【請求項３】
前記被覆板上にクツズリを設けたことを特徴とする請求項２記載の気密式引戸装置。
【発明の詳細な説明】
【０００１】
【発明の属する技術分野】
本発明は、新幹線車両のような高速車両に用いられ、室内の気密を保持する気密式引戸装置に関する。
【０００２】
【従来の技術】
従来より、この種の気密式引戸装置では、図４に示すように、引戸１００を図示しない上部レールと下部レール１０２とにより移動可能に支持し、引戸を開閉するようにしている。また、気密を保つようにするために、引戸１００が閉じた位置にあるときに、引戸１００を図示しないアクチュエータにより室外側に押して、引戸１００をパッキン１０４に押し当てている。
【０００３】
【発明が解決しようとする課題】
しかしながら、こうした従来のものでは、ステンレス製の下部レール１０２が床面１０６上に敷設され、引戸１００がこの下部レール１０２を挟むようにして、引戸１００を移動可能に支持している。その為、引戸１００と下部レール１０２との金属同士の摺動接触により摺動音が発生し、また、金属同士の摺動であるため、引戸１００と下部レール１０２との両方が摩耗しやすく、更に、引戸１００の取付時のガタにより、引戸１００に外力が加わった場合、下部レール１０２から外れる場合があるという問題があった。
【０００４】
一方、引戸１００は閉じた位置にある時に、アクチュエータにより室外側に押し付けることができるようにするために、下部レール１０２に切欠を形成する必要があり、下部レール１０２の取付には引戸１００との寸法調整が必要であるので組立・調整が煩雑であるという問題があった。
【０００５】
また、下部レール１０２は床面１０６から飛び出しているので、昇降客の乗り降りのときに、下部レール１０２を踏みつけるので摩耗しやすく、更に、つま先等を引っかけやすく、昇降の邪魔になる場合があるという問題があった。
本発明の課題は、摺動音や摩耗を低減し、組立・調整がしやすく、乗り降りの邪魔にならない気密式引戸装置を提供することにある。
【０００６】
【課題を解決するための手段】
かかる課題を達成すべく、本発明は課題を解決するため次の手段を取った。即ち、
引戸を上部レールに沿って移動可能に支持すると共に、前記引戸を前記上部レールと平行な支点軸の廻りに揺動可能に支持し、閉めた位置で前記引戸をアクチュエータにより室外側に押して出入口を閉じる気密式引戸装置において、
前記引戸の下部に、下方に突出した舌部を設け、かつ、前記舌部の室内側側面に当接して、前記引戸の移動を案内する案内部材を設けると共に、前記引戸の重心位置を前記支点軸廻りに前記引戸が室内側に揺動する方向となる位置に形成して、前記引戸の自重により前記舌部の室内側側面が前記案内部材に当接し、また、前記アクチュエータにより前記引戸の自重に抗して前記引戸を室外側に押し前記引戸を前記支点軸の廻りに揺動させて前記出入口を閉じることを特徴とする気密式引戸装置がそれである。
【０００７】
また、前記出入口の床面よりも下側に前記案内部材を設けると共に、該案内部材を覆う被覆板を設け、該被覆板を跳ね上げ可能に支持した構成としてもよい。あるいは、前記被覆板上にクツズリを設けた構成としてもよい。
【０００８】
【発明の実施の形態】
以下本発明の実施の形態を図面に基づいて詳細に説明する。
図１に示すように、１は新幹線車両用の構体で、構体１の側面には、出入口２が形成されている。この出入口２に対応してアルミニウム製の引戸４が設けられており、図２に示すように、引戸４は、出入口２の上部に沿って設けられた上部レール６に、ベアリング８を介して移動可能に支持されている。
【０００９】
ベアリング８は、上部レール６に形成された溝に沿ってボール１０が転動して、直線的に案内する構造のものである。この上部レール６には、アーム１２が固定されており、アーム１２は構体１に支点軸１４を介して揺動可能に支持されている。
【００１０】
また、図３に示すように、引戸４の下部には、下方に突出した厚さの薄い舌部１６が設けられており、舌部１６は構体１の床面１８よりも下方に突き出すように形成されている。出入口２の床面１８には引戸４の移動方向に沿って舌部１６が収納される溝２０が形成されている。
【００１１】
溝２０内には、案内部材２２が設けられており、案内部材２２はホルダ部材２４と摺動部材２６とを備えている。ホルダ部材２４は摺動部材２６を挟持すると共に、構体１に固定されている。摺動部材２６は舌部１６の室内側の側面に接触できるように配置されており、本実施形態では、ナイロン製のものが用いられている。
【００１２】
引戸４は、図１に示すように、その重心位置Ｇが支点軸１４よりも室外側となるように形成されており、これにより、引戸４が支点軸１４の廻りに、その自重による回転モーメントによって回転して、舌部１６が摺動部材２６に当接するように形成されている。
【００１３】
また、出入口２に沿って、その室内側にパッキン２８が取り付けられており、構体１に出入口２に沿って複数設けられたアクチュエータ３０，３２を駆動して、引戸４を支点軸１４の廻りに揺動して、引戸４をパッキン２８に押し付けることができるように構成されている。
【００１４】
案内部材２２を覆うようにして、被覆板３４が設けられており、被覆板３４は構体１にヒンジ３６を介して取り付けられている。図３に実線で示すように、被覆板３４を倒したときには、被覆板３４は案内部材２４上に取り付けられた座部材３８の上に載り、構体１の床部材４０と平坦となるように構成されている。
【００１５】
また、図３に二点鎖線で示すように、被覆板３４を跳ね上げて立てたときには、案内部材２２が露出されるように構成されている。更に、被覆板３４上にはクツズリ４２が取り付けられると共に、所定間隔で床部材４０上にもクツズリ４４が取り付けられている。
【００１６】
次に、前述した本実施形態の気密式引戸装置の作動について説明する。
まず、閉めるときには、図示しないアクチュエータが駆動されて、引戸４を上部レール６に沿って押し出す。これにより、引戸４はベアリング８を介して上部レール６に沿って移動すると共に、舌部１６は引戸４の自重により案内部材２２の摺動部材２６にその側面が押し当てられた状態で、摺動部材２６に沿って摺動する。出入口２が引戸４により閉じられると、アクチュエータ３０，３２が駆動されて、引戸４を室外側に押して、引戸４をパッキン２８に押し付け、気密を保つ。
【００１７】
開くときには、まず、アクチュエータ３０，３２による押し付けを解除すると、引戸４は自重により支点軸１４の廻りに揺動して、舌部１６の側面が摺動部材２６に接触する。そして、図示しないアクチュエータを駆動すると、引戸４が上部レール６に沿って移動すると共に、舌部１６が摺動部材２６に沿って摺動する。
【００１８】
引戸４が移動されて、出入口２が開かれ、昇降客は、クツズリ４２を踏んで昇降する。案内部材２２は、床面１８よりも飛び出ていないので、昇降客が案内部材２２につまずくことがなく、昇降客が案内部材２２を踏みつけることもないので、摺動部材２６にナイロン製のものを使用しても、昇降客の踏みつけによる摩耗や損傷を招くことがない。例えば、昇降客が踏みつけると、靴の裏についた砂等により、すぐに摩耗してしまうが、これを防止できる。
【００１９】
引戸４と異なる材質の摺動部材２６を用いることにより、引戸４の開閉時の摺動音を低減でき、摺動部材２６が優先的に摩耗するようにすることができる。案内部材２２は、被覆板３４を跳ね上げることにより容易に交換できる。また、引戸４を室内側に押す外力が作用しても、容易に引戸４が案内部材２２を乗り越えて外れない構成とすることができる。
【００２０】
気密時のアクチュエータ３０，３２の駆動の際に、案内部材２２が邪魔になることはなく、案内部材２２に切欠等を設ける必要がない。また、単に舌部１６の側面が摺動部材２６に接触するようにすればよく、組立・調整も容易である。案内部材２２の点検や修理・交換をする場合には、引戸４を開いた状態で、被覆板３４を二点鎖線で示すように跳ね上げる。これにより、案内部材２２は露出されるので、容易に点検や修理・交換をすることができる。
【００２１】
以上本発明はこの様な実施例に何等限定されるものではなく、本発明の要旨を逸脱しない範囲において種々なる態様で実施し得る。
【００２２】
【発明の効果】
以上詳述したように本発明の気密式引戸装置は、引戸の室内側側面に当接する案内部材を設けているので、気密を保持する際に、案内部材が邪魔になることはない。よって、案内部材に切欠等を設ける必要がなく、組立・調整も容易である。また、出入口の床面よりも下側に案内部材を設け、これを跳ね上げ可能な被覆板により覆うことにより、昇降客の踏みつけによる摩耗や損傷を招くことがなく、案内部材にナイロン等の引戸と異なる材質のものを用いることができ、摺動音を低減できると共に、摩耗時の交換を容易にすることができる。
【図面の簡単な説明】
【図１】本発明の一実施形態としての気密式引戸装置の断面図である。
【図２】本実施形態の気密式引戸装置の上部レール周辺の拡大断面図である。
【図３】本実施形態の気密式引戸装置の案内部材周辺の拡大断面図である。
【図４】従来の気密式引戸装置の下部レール周辺の拡大断面図である。
【符号の説明】
１…構体          ２…出入口
４…引戸          ６…上部レール
１４…支点軸      １６…舌部
１８…床面        ２２…案内部材
２６…摺動部材    ３０，３２…アクチュエータ
３４…被覆板      ４２，４４…クツズリ
【図１】
0004173588.tif 000002
【図２】
0004173588.tif 000003
【図３】
0004173588.tif 000004
【図４】
0004173588.tif 000005